(57)【要約】【課題】レーザ加工ヘッドの移動位置に拘わりなく常に安定した吸引を行うことのできるレーザ加工機における集塵装置を提供する。【解決手段】レーザ加工ヘッド５の一方向の移動範囲に対応した長い吸引開口部９を有する吸引ダクト３を備えた集塵装置であって、前記吸引開口部９に沿って長く構成した補助ダクト１１を前記吸引ダクト３に備え、前記吸引ダクト３の両端側に形成した連通開口部１５と前記補助ダクト１１の内部空間１３とを連通して設け、前記補助ダクト１１の適宜位置に、集塵用パイプが接続してある。【選択図】図１
2018108592.tif 000002
【特許請求の範囲】
【請求項１】
レーザ加工ヘッドの一方向の移動範囲に対応した長い吸引開口部を有する吸引ダクトを備えた集塵装置であって、前記吸引開口部に沿って長く構成した補助ダクトを前記吸引ダクトに備え、前記吸引ダクトの両端側に形成した連通開口部と前記補助ダクトの内部空間とを連通して設け、前記補助ダクトの適宜位置に、集塵用パイプが接続してあることを特徴とするレーザ加工機における集塵装置。
【請求項２】
請求項１に記載のレーザ加工機における集塵装置において、前記吸引ダクトのほぼ中央部付近に形成した連通開口部と前記補助ダクトの内部空間とが連通してあることを特徴とするレーザ加工機における集塵装置。
【請求項３】
請求項１又は２に記載のレーザ加工機における集塵装置において、前記吸引ダクトに備えた連通開口部に、格子状部材を備えていることを特徴とするレーザ加工機における集塵装置。
【請求項４】
請求項１，２又は３に記載のレーザ加工機における集塵装置において、前記補助ダクトの横断面積は、前記吸引ダクトの横断面積よりも小さいことを特徴とするレーザ加工機における集塵装置。
【発明の詳細な説明】
【技術分野】
【０００１】
本発明は、レーザ加工機における集塵装置に関する。さらに詳細には、レーザ加工ヘッドの一方向への往復移動範囲に対応した長い吸引開口部を有する吸引ダクトを備えた集塵装置であって、前記吸引ダクトのほぼ全範囲における吸引能力がほぼ均等な集塵装置に関する。
【背景技術】
【０００２】
レーザ加工機には、定位置に位置するレーザ加工ヘッドに対して板状のワークをＸ，Ｙ軸方向に移動位置決めしてワークのレーザ切断加工を行う形式のレーザ加工機がある。また、ワークテーブル又はパレット上に載置した板状のワークに対してレーザ加工ヘッドを、Ｘ，Ｙ，Ｚ軸方向へ移動してワークのレーザ切断加工を行う形式のレーザ加工機がある。さらに、ワークをＸ軸又はＹ軸方向の一方向に移動位置決めし、レーザ加工ヘッドをＹ軸又はＸ軸方向に移動位置決めしてワークのレーザ切断を行う形式のレーザ加工機がある（例えば、特許文献１，２参照）。
【先行技術文献】
【特許文献】
【０００３】
【特許文献１】特開平４−８９１９４号公報
【特許文献２】実開昭６３−１１１２９２号公報
【発明の概要】
【発明が解決しようとする課題】
【０００４】
前記特許文献１に記載の構成においては、板状のワークに対してレーザ加工ヘッドをＸ，Ｙ軸方向へ移動してレーザ切断加工を行うとき、キャッチャーヘッドによって集塵を行う構成である。すなわち、前記レーザ加工ヘッドと前記キャッチャーヘッドは、ワークを間にして対向配置してある。そして、レーザ加工ヘッドのＸ，Ｙ軸方向への移動に同期して、前記キャッチャーヘッドをＸ，Ｙ軸方向への移動することにより、レーザ加工時に生じた粉塵等を前記キャッチャーヘッドによって吸引する構成である。
【０００５】
すなわち、上記構成においては、レーザ加工ヘッドとキャッチャーヘッドとを同期して同方向へ移動する構成が必要であり、構成が複雑である、という問題がある。
【０００６】
前記特許文献２に記載の構成においては、Ｙ軸方向に往復移動するカッティングヘッドの移動範囲に対応した長い吸引開口部を有する集塵管を備えた構成である。上記構成においては、前記集塵管の一端側に接続したダクトを介して排風機に接続した構成である。
【０００７】
したがって、特許文献２に記載の構成においては、前記集塵管の全長に亘っての吸引効果は均等でなく、他端側においての集塵効果は小さなものである、という問題がある。
【課題を解決するための手段】
【０００８】
本発明は、前述のごとき問題に鑑みてなされたもので、レーザ加工ヘッドの一方向の移動範囲に対応した長い吸引開口部を有する吸引ダクトを備えた集塵装置であって、前記吸引開口部に沿って長く構成した補助ダクトを前記吸引ダクトに備え、前記吸引ダクトの両端側に形成した連通開口部と前記補助ダクトの内部空間とを連通して設け、前記補助ダクトの適宜位置に、集塵用パイプが接続してあることを特徴とするものである。
【０００９】
また、前記レーザ加工機における集塵装置において、前記吸引ダクトのほぼ中央部付近に形成した連通開口部と前記補助ダクトの内部空間とが連通してある。
【００１０】
また、前記レーザ加工機における集塵装置において、前記吸引ダクトに備えた連通開口部に、格子状部材を備えている。
【００１１】
また、前記レーザ加工機における集塵装置において、前記補助ダクトの横断面積は、前記吸引ダクトの横断面積よりも小さい構成である。
【発明の効果】
【００１２】
本発明によれば、吸引ダクトの全長に亘って吸引効果をほぼ一定にすることができる。
【図面の簡単な説明】
【００１３】
【図１】本発明の実施形態に係る集塵装置の構成を示す斜視説明図である。
【図２】一部を断面にした集塵装置の斜視説明図である。
【発明を実施するための形態】
【００１４】
以下、図面を用いて本発明の実施形態について説明するに、本発明の実施形態に係る集塵装置１は、吸引ダクト３を備えている。上記吸引ダクト３は、Ｘ，Ｙ，Ｚ軸方向へ移動して板状のワークＷのレーザ切断加工を行うレーザ加工ヘッド５と、前記ワークＷを間にして対向配置されている。前記吸引ダクト３は、前記レーザ加工ヘッド５の一方向、例えばＸ軸方向の移動範囲に対応した長さの箱体７に形成してある。そして、上記箱体７の吸引ダクト３がレーザ加工ヘッド５と対向する面には、Ｘ軸方向に長い吸引開口部９が備えられている。上記吸引ダクト３の一側面には、ほぼ同長の補助ダクト１１が備えられている。
【００１５】
前記吸引ダクト３の両端側及び中央部付近には、前記補助ダクト１１の内部空間１３（図２参照）と連通した連通開口部１５が形成してある。そして、前記各連通開口部１５には、レーザ切断加工時に生じた切断片が前記補助ダクト１１内へ入り込むことを防止するための格子状部材１７が備えられている。前記レーザ加工ヘッド５によるレーザ切断加工時に生じたスパッタやヒューム等を吸引するために、前記補助ダクト１１の適宜位置、本実施形態においては、補助ダクト１１の一端側には、吸引ブロワー（図示省略）に一端部を接続した吸引ホース（図示省略）の他端部を接続する接続口１９が備えられている。
【００１６】
以上のごとき構成において、ワークＷに対してレーザ加工ヘッド５を、吸引ダクト３の吸引開口部９に沿ったＸ軸方向へ相対的に移動してワークＷのレーザ切断加工を行う。この際、吸引ブロワーを作動することにより、補助ダクト１１の内部空間１３が負圧になる。したがって、前記吸引ダクト３の吸引開口部９には、補助ダクト１１の内部空間１３に連通した各連通開口部１５を介して吸引作用が生じることとなる。よって、ワークＷのレーザ加工位置に生じたスパッタ、ヒューム等の粉塵は、吸引ダクト３内に吸引されることになる。
【００１７】
ところで、前記連通開口部１５は複数箇所、本実施形態においては、吸引ダクト３の両端側及び中央部付近に備えられている。したがって、例えば吸引ダクト３の一端側或は中央部付近の１箇所に連通開口部を備えた場合に比較して、前記吸引開口部９の吸引力（外気の吸込み速度）は、吸引開口部９の全範囲においてほぼ均等になるものである。よって、吸引開口部９に沿ってのレーザ加工ヘッド５の移動位置の変化によって吸引力が大きく異なるようなことはないものである。
【００１８】
すなわち、本実施形態によれば、吸引ダクト３における吸引開口部９に沿ってのレーザ加工ヘッド５の移動位置に拘わりなく吸引力は常にほぼ一定に保持されるものである。したがって、レーザ加工ヘッド５の移動領域の全範囲においての集塵効率の安定化を図ることができるものである。
【００１９】
ところで、前記実施形態においては、補助ダクト１１の横断面積は、前記吸引ダクト３の横断面積よりも小さく、かつ吸引ダクト３の側面であって、前記吸引開口部９から離隔した位置に備えられている。したがって、集塵装置１の全体的構成のコンパクト化、軽量化を図ることができるものである。よって、集塵装置１を、Ｙ軸方向に移動する場合の、構成の簡素化を図ることができるものである。
【００２０】
なお、本発明は、前述した実施形態に限るものではなく、適宜の変更を行うことにより、その他の形態でもって実施可能なものである。すなわち、吸引ダクト３に設ける連通開口部１５の位置としては、吸引ダクト３の長手方向の両端部付近及び中央部付近の３ヶ所とすることなく、例えば中央部と両端部との間の両端側の２ヶ所とすることも可能である。さらには、吸引ダクト３の両側面に補助ダクト１１を備えた構成とすることも可能である。
【符号の説明】
【００２１】
１  集塵装置
３  吸引ダクト
５  レーザ加工ヘッド
７  箱体
９  吸引開口部
１１  補助ダクト
１３  内部空間
１５  連通開口部
１７  格子状部材
１９  接続口
【図１】
2018108592.tif 000003
【図２】
2018108592.tif 000004